(57)【特許請求の範囲】
【請求項１】
自セルである第１のセルをオフしようとするオフ対象基地局と、前記第１のセルを補完するためのセル拡張を行うべき拡張対象基地局と、を有する移動通信システムにおいて用いられる通信制御方法であって、
前記オフ対象基地局が、アクセス権を有するユーザ端末のみがアクセス可能なクローズドモードを設定可能な第２のセルを管理する前記拡張対象基地局に対して、前記セル拡張を行うことを要求するステップＡと、
前記拡張対象基地局が、前記第１のセルに接続するユーザ端末が前記第２のセルに接続可能か否かの判定結果に基づく前記要求への応答を、前記オフ対象基地局に送信するステップＢと、を備え、
前記第１のセルは、前記クローズドモードを設定可能なセルであり、
前記ステップＡにおいて、前記オフ対象基地局は、前記第１のセルのＣＳＧ識別子を含む前記要求を送信し、
前記判定結果は、前記ＣＳＧ識別子に基づいている通信制御方法。
【請求項２】
前記オフ対象基地局が、前記応答に基づいて、前記第１のセルをオフするか否かを決定するステップをさらに備える請求項１に記載の通信制御方法。
【請求項３】
前記ステップＢにおいて、前記拡張対象基地局は、前記第２のセルに対して、前記クローズドモードを設定していない場合、前記セル拡張を了承する旨を示す前記応答を送信することを特徴とする請求項１に記載の通信制御方法。
【請求項４】
前記ステップＢにおいて、前記拡張対象基地局は、前記第２のセルに対して、前記クローズドモードを設定している場合で、且つ、前記第１のセルのＣＳＧ識別子と、前記第２のセルのＣＳＧ識別子とが等しい場合、前記セル拡張を了承する旨を示す前記応答を送信することを特徴とする請求項１に記載の通信制御方法。
【請求項５】
前記ステップＡにおいて、前記オフ対象基地局は、前記拡張対象基地局を含む複数の拡張対象基地局のそれぞれに、前記要求を送信し、
前記オフ対象基地局が、前記複数の拡張対象基地局のうち２以上の拡張対象基地局のそれぞれから、前記セル拡張を了承する旨を示す前記応答を受信した場合、前記２以上の拡張対象基地局のうち、前記セル拡張に基づく消費電力が最小となる組み合わせの拡張対象基地局のそれぞれに前記セル拡張を行わせることを決定するステップをさらに備えることを特徴とする請求項２に記載の通信制御方法。
【請求項６】
前記拡張対象基地局が、前記第１のセルのＣＳＧ識別子と前記第２のセルのＣＳＧ識別子とが異なる場合、前記第１のセルのＣＳＧ識別子と前記第２のセルのＣＳＧ識別子とをネットワーク装置に送信するステップと、
前記ネットワーク装置が、前記第１のセルのＣＳＧ識別子と前記第２のセルのＣＳＧ識別子とに基づいて、前記第１のセルに接続する前記ユーザ端末が前記第２のセルに接続可能であるか否かを判定するステップＣと、をさらに備え、
前記ステップＢにおいて、前記拡張対象基地局は、前記ステップＣにおける判定結果に基づいて、前記応答を、前記オフ対象基地局に送信することを特徴とする請求項２に記載の通信制御方法。
【請求項７】
前記ステップＣにおいて、前記ネットワーク装置は、前記ユーザ端末がアクセス権を有するセルのＣＳＧ識別子が設定されたリストにおいて、前記第２のセルのＣＳＧ識別子が設定されている場合に、前記第１のセルのＣＳＧ識別子が設定されている場合、前記第１のセルに接続する前記ユーザ端末が前記第２のセルに接続可能であると判定することを特徴とする請求項６に記載の通信制御方法。
【請求項８】
前記ステップＣにおいて、前記ネットワーク装置は、前記第１のセルへのアクセス権を有するユーザ端末の集合が、前記第２のセルへのアクセス権を有するユーザ端末の集合の部分集合であると判定した場合、前記第１のセルに接続する前記ユーザ端末が前記第２のセルに接続可能であると判定することを特徴とする請求項６に記載の通信制御方法。
【請求項９】
自セルである第１のセルをオフしようとするオフ対象基地局と、前記第１のセルを補完するためのセル拡張を行うべき拡張対象基地局と、を有する移動通信システムにおいて、前記オフ対象基地局に該当する基地局であって、
アクセス権を有するユーザ端末のみがアクセス可能なクローズドモードを設定可能な第２のセルを管理する前記拡張対象基地局に対して、前記セル拡張を行うことを要求する要求情報を送信する送信部と、
前記第１のセルに接続する前記ユーザ端末が前記第２のセルに接続可能か否かの判定結果に基づく前記要求情報への応答を、前記拡張対象基地局から受信する受信部と、を備え、
前記第１のセルは、前記クローズドモードを設定可能なセルであり、
前記要求情報は、前記第１のセルのＣＳＧ識別子を含み、
前記判定結果は、前記ＣＳＧ識別子に基づいていることを特徴とする基地局。
【請求項１０】
自セルである第１のセルをオフしようとするオフ対象基地局と、前記第１のセルを補完するためのセル拡張を行うべき拡張対象基地局と、を有する移動通信システムにおいて、前記拡張対象基地局に該当する基地局であって、
アクセス権を有するユーザ端末のみがアクセス可能なクローズドモードを設定可能な第２のセルを管理する制御部と、
前記セル拡張を行うことを要求する要求情報を前記オフ対象基地局から受信する受信部と、
前記第１のセルに接続する前記ユーザ端末が前記第２のセルに接続可能か否かの判定結果に基づく前記要求情報への応答を、前記オフ対象基地局に送信する送信部と、を備え、
前記第１のセルは、前記クローズドモードを設定可能なセルであり、
前記要求情報は、前記第１のセルのＣＳＧ識別子を含み、
前記判定結果は、前記ＣＳＧ識別子に基づいていることを特徴とする基地局。
【発明の詳細な説明】
【技術分野】
【０００１】
本発明は、移動通信システムにおいて用いられる通信制御方法及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ネットワークの消費電力を削減する省電力（エナジーセービング）技術が導入されている（例えば、非特許文献１参照）。例えば、通信トラフィックの少ない夜間などにおいて、基地局が管理しているセルをオフ（Ｄｅａｃｔｉｖａｔｅ）する。【０００３】
また、３ＧＰＰでは、リリース１２以降において、改良されたエナジーセービング技術が導入される予定である。例えば、一のセルをオフする場合に、近隣セルの送信電力を上昇させる。これにより、当該近隣セルのカバレッジを拡張（セル拡張）し、オフされるセル（オフ対象セル）のカバレッジを補完（エリア補完）することができる。【０００４】
ここで、近隣セルが、アクセス権を有するユーザ端末のみがアクセス可能なクローズドモードを設定可能なセルであるケースを想定する。【０００５】
このようなケースにおいて、近接セルにクローズドモードが設定された場合、アクセス権を有さないユーザ端末は、当該近隣セルに接続できないため、セル拡張によってエリア補完が行われたとしても、通信不能になるという問題がある。
【先行技術文献】
【特許文献】
【０００６】
【非特許文献１】３ＧＰＰ技術報告書  「ＴＲ  ３６．９２７  Ｖ１１．０．０」  ２０１２年９月
【発明の概要】
【０００７】
実施形態に係る通信制御方法は、自セルである第１のセルをオフしようとするオフ対象基地局と、前記第１のセルを補完するためのセル拡張を行うべき拡張対象基地局と、を有する移動通信システムにおいて用いられる。当該通信制御方法は、オフ対象基地局が、アクセス権を有するユーザ端末のみがアクセス可能なクローズドモードを設定可能な第２のセルを管理する拡張対象基地局に対して、セル拡張を行うことを要求するステップＡと、前記拡張対象基地局が、第１のセルに接続するユーザ端末が前記第２のセルに接続可能か否かの判定結果に基づく前記要求への応答を、前記オフ対象基地局に送信するステップＢと、を備える。
【図面の簡単な説明】
【０００８】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、実施形態に係る移動通信システムの動作シーケンス１を説明するシーケンス図である。
【図６】図６は、実施形態に係る移動通信システムの動作シーケンス１を説明する説明図である。
【図７】図７は、実施形態に係る移動通信システムの動作シーケンス１を説明する説明図である。
【図８】図８は、実施形態に係る移動通信システムの動作シーケンス１を説明する説明図である。
【図９】図９は、動作シーケンス１におけるｅＮＢ２００−２の動作の一例を説明するためのフローチャートである。
【図１０】図１０は、実施形態に係る移動通信システムの動作シーケンス２を説明するシーケンス図である。
【図１１】図１１は、実施形態に係る移動通信システムの動作シーケンス２を説明する説明図である。
【図１２】図１２は、実施形態に係る移動通信システムの動作シーケンス２を説明する説明図である。
【図１３】図１３は、実施形態に係る移動通信システムの動作シーケンス２を説明する説明図である。
【図１４】図１４は、実施形態に係る移動通信システムの動作シーケンス２を説明する説明図である。
【図１５】図１５は、動作シーケンス２におけるｅＮＢ２００−１の動作の一例を説明するためのフローチャートである。
【図１６】図１６は、実施形態に係る移動通信システムの動作シーケンス３を説明するシーケンス図である。
【図１７】図１７は、実施形態に係る移動通信システムの動作シーケンス３を説明する説明図である。
【図１８】図１８は、実施形態に係る移動通信システムの動作シーケンス３を説明する説明図である。
【発明を実施するための形態】
【０００９】
実施形態に係る通信制御方法は、自セルである第１のセルをオフしようとするオフ対象基地局と、前記第１のセルを補完するためのセル拡張を行うべき拡張対象基地局と、を有する移動通信システムにおいて用いられる。当該通信制御方法は、オフ対象基地局が、アクセス権を有するユーザ端末のみがアクセス可能なクローズドモードを設定可能な第２のセルを管理する拡張対象基地局に対して、セル拡張を行うことを要求するステップＡと、前記拡張対象基地局が、第１のセルに接続するユーザ端末が前記第２のセルに接続可能か否かの判定結果に基づく前記要求への応答を、前記オフ対象基地局に送信するステップＢと、を備える。
【００１０】
実施形態に係る通信制御方法は、前記オフ対象基地局が、前記応答に基づいて、前記第１のセルをオフするか否かを決定するステップをさらに備える。
【００１１】
実施形態では、前記ステップＢにおいて、前記拡張対象基地局は、前記第２のセルに対して、前記クローズドモードを設定していない場合、前記セル拡張を了承する旨を示す前記応答を送信する。
【００１２】
実施形態では、前記第１のセルは、前記クローズドモードを設定可能なセルである。前記ステップＡにおいて、前記オフ対象基地局は、前記第１のセルのＣＳＧ識別子を含む前記要求を送信し、前記ステップＢにおいて、前記拡張対象基地局は、前記第２のセルに対して、前記クローズドモードを設定している場合で、且つ、前記第１のセルのＣＳＧ識別子と、前記第２のセルのＣＳＧ識別子とが等しい場合、前記セル拡張を了承する旨を示す前記応答を送信する。
【００１３】
実施形態では、前記ステップＡにおいて、前記オフ対象基地局は、前記拡張対象基地局を含む複数の拡張対象基地局のそれぞれに、前記要求を送信する。当該通信制御方法は、前記オフ対象基地局が、前記複数の拡張対象基地局のうち２以上の拡張対象基地局のそれぞれから、前記セル拡張を了承する旨を示す前記応答を受信した場合、前記２以上の拡張対象基地局のうち、前記セル拡張に基づく消費電力が最小となる組み合わせの拡張対象基地局のそれぞれに前記セル拡張を行わせることを決定するステップをさらに備える。
【００１４】
実施形態では、前記第１のセルは、前記クローズドモードを設定可能なセルである。前記ステップＡにおいて、前記オフ対象基地局は、前記第１のセルのＣＳＧ識別子を含む前記要求を送信する。当該通信制御方法は、前記拡張対象基地局が、前記第１のセルのＣＳＧ識別子と前記第２のセルのＣＳＧ識別子とが異なる場合、前記第１のセルのＣＳＧ識別子と前記第２のセルのＣＳＧ識別子とをネットワーク装置に送信するステップと、前記ネットワーク装置が、前記第１のセルのＣＳＧ識別子と前記第２のセルのＣＳＧ識別子とに基づいて、前記第１のセルに接続する前記ユーザ端末が前記第２のセルに接続可能であるか否かを判定するステップＣと、をさらに備える。前記ステップＢにおいて、前記拡張対象基地局は、前記ステップＣにおける判定結果に基づいて、前記応答を、前記オフ対象基地局に送信する。
【００１５】
実施形態では、前記ステップＣにおいて、前記ネットワーク装置は、前記ユーザ端末がアクセス権を有するセルのＣＳＧ識別子が設定されたリストにおいて、前記第２のセルのＣＳＧ識別子が設定されている場合に、前記第１のセルのＣＳＧ識別子が設定されている場合、前記第１のセルに接続する前記ユーザ端末が前記第２のセルに接続可能であると判定する。
【００１６】
実施形態では、前記ステップＣにおいて、前記ネットワーク装置は、前記第１のセルへのアクセス権を有するユーザ端末の集合が、前記第２のセルへのアクセス権を有するユーザ端末の集合の部分集合であると判定した場合、前記第１のセルに接続する前記ユーザ端末が前記第２のセルに接続可能であると判定する。
【００１７】
実施形態における基地局（ｅＮＢ２００−１）は、自セルである第１のセルをオフしようとするオフ対象基地局と、前記第１のセルを補完するためのセル拡張を行うべき拡張対象基地局と、を有する移動通信システムにおいて、前記オフ対象基地局に該当する基地局である。当該基地局は、アクセス権を有するユーザ端末のみがアクセス可能なクローズドモードを設定可能な第２のセルを管理する前記拡張対象基地局に対して、前記セル拡張を行うことを要求する要求情報を送信する送信部と、前記第１のセルに接続する前記ユーザ端末が前記第２のセルに接続可能か否かの判定結果に基づく前記要求情報への応答を、前記拡張対象基地局から受信する受信部と、を備える。
【００１８】
実施形態における基地局（ｅＮＢ２００−２）は、自セルである第１のセルをオフしようとするオフ対象基地局と、前記第１のセルを補完するためのセル拡張を行うべき拡張対象基地局と、を有する移動通信システムにおいて、前記拡張対象基地局に該当する基地局である。当該基地局は、アクセス権を有するユーザ端末のみがアクセス可能なクローズドモードを設定可能な第２のセルを管理する制御部と、前記セル拡張を行うことを要求する要求情報を前記オフ対象基地局から受信する受信部と、前記第１のセルに接続する前記ユーザ端末が前記第２のセルに接続可能か否かの判定結果に基づく前記要求情報への応答を、前記オフ対象基地局に送信する送信部と、を備える。
【００１９】
［実施形態］
（ＬＴＥシステム）
図１は、実施形態に係るＬＴＥシステムの構成図である。
【００２０】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２１】
ＵＥ１００は、移動型の無線通信装置であり、接続を確立したセル（サービングセル）との無線通信を行う。ＵＥ１００はユーザ端末に相当する。
【００２２】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２３】
なお、「セル」は、無線通信エリアの最小単位を示す用語として使用される他に、ＵＥ１００との無線通信を行う機能を示す用語としても使用される。
【００２４】
セルは、設定されるアクセスモードに応じて、「ＣＳＧ（Ｃｌｏｓｅｄ  Ｓｕｂｓｃｒｉｂｅｒ  Ｇｒｏｕｐ）セル」、「ハイブリッド（Ｈｙｂｒｉｄ）セル」、又は「オープン（Ｏｐｅｎ）セル」と称される。
【００２５】
ＣＳＧセルは、アクセス権を有するＵＥ１００（「メンバーＵＥ」と称される）のみがアクセス可能なセルであり、ＣＳＧ  ＩＤをブロードキャストする。ＵＥ１００は、自身がアクセス権を有するＣＳＧセルのＣＳＧ  ＩＤのリスト（ホワイトリスト：ＣＳＧ  ｗｈｉｔｅ  ｌｉｓｔ）を保持しており、当該ホワイトリストと、ＣＳＧセルがブロードキャストするＣＳＧ  ＩＤと、に基づいて、アクセス権の有無を判断する。
【００２６】
ハイブリッドセルは、メンバーＵＥが非メンバーＵＥよりも有利に取り扱われるセルであり、ＣＳＧ  ＩＤに加えて、非メンバーＵＥにも解放されたセルであることを示す情報をブロードキャストする。ＵＥ１００は、ホワイトリストと、ハイブリッドセルがブロードキャストするＣＳＧ  ＩＤと、に基づいて、アクセス権の有無を判断する。
【００２７】
オープンセルは、メンバーであるか否かを問わずＵＥ１００が同等に取り扱われるセルであり、ＣＳＧ  ＩＤをブロードキャストしない。ＵＥ１００の視点では、オープンセルは一般的なセルと同一である。
【００２８】
また、ｅＮＢ２００は、例えば、無線リソース管理（ＲＲＭ）機能と、ユーザデータのルーティング機能と、モビリティ制御及びスケジューリングのための測定制御機能と、を有する。
【００２９】
また、ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３０】
なお、ｅＮＢ２００は、１又は複数のセル（大セル）を管理するマクロ基地局（Ｍａｃｒｏ  ｅＮＢ）であってもよいし、大セルよりもカバー範囲が狭い特定セル（小セル）を管理するＨｅＮＢ（Ｈｏｍｅ  ｅｖｏｌｖｅｄ  Ｎｏｄｅ−Ｂ）であってもよい。ＨｅＮＢは、屋内に設置可能な小規模な固定型無線通信装置である。
【００３１】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３２】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３３】
ＭＭＥは、ＵＥ１００に対する各種モビリティ管理や認証処理などを行う。ＭＭＥは、ＣＳＧセル／ハイブリッドセルへのアクセス権についてＵＥ１００の認証（以下、「ＣＳＧ認証」と称する）を行う。
【００３４】
ＣＳＧセルへの一般的なハンドオーバ手順は、Ｓ１インターフェイスを使用する。ＭＭＥは、ＵＥ１００のＣＳＧ認証、具体的には、ＵＥ１００が当該ＣＳＧセルのメンバーＵＥであるか否かの確認を行う。ＵＥ１００が当該ＣＳＧセルのメンバーＵＥであることが確認された場合（すなわち、ＣＳＧ認証成功の場合）、当該ＣＳＧセルへのＵＥ１００のハンドオーバが可能になる。これに対し、ＵＥ１００が当該ＣＳＧセルのメンバーＵＥであることが確認されない場合（すなわち、ＣＳＧ認証失敗の場合）、当該ＣＳＧセルへのＵＥ１００のハンドオーバは拒否される。
【００３５】
ＯＡＭ４００は、オペレータによって管理されるサーバ装置であり、Ｅ−ＵＴＲＡＮ１０の保守及び監視を行う。
【００３６】
次に、ＵＥ１００及びｅＮＢ２００の構成を説明する。
【００３７】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３８】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３９】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４１】
ＧＮＳＳ受信機１３０は、ＵＥ１００の地理的な位置を示す位置情報を得るために、ＧＮＳＳ信号を受信して、受信した信号をプロセッサ１６０に出力する。
【００４２】
バッテリ１４０は、ＵＥ１００の各ブロックに供給すべき電力を蓄える。
【００４３】
メモリ１５０は、プロセッサ１６０によって実行されるプログラムと、プロセッサ１６０による処理に使用される情報と、を記憶する。
【００４４】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４５】
図３は、ｅＮＢ２００のブロック図である。図３に示すように、ｅＮＢ２００（後述するＭｅＮＢ２００Ａ、ＰｅＮＢ２００Ｂ及びＰｅＮＢ２００Ｂを含む）は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４６】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４７】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４８】
メモリ２３０は、プロセッサ２４０によって実行されるプログラムと、プロセッサ２４０による処理に使用される情報と、を記憶する。
【００４９】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５０】
図４は、ＬＴＥシステムにおける無線インターフェイスのプロトコルスタック図である。
【００５１】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５２】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５３】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５４】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５５】
ＰＤＣＰレイヤは、ヘッダ圧縮・伸張、及び暗号化・復号化を行う。
【００５６】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５７】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５８】
（実施形態に係る動作シーケンス）
次に、実施形態に係る移動通信システムの動作シーケンス１−３について、説明する。
【００５９】
（１）動作シーケンス１
まず、動作シーケンス１について、図５から図９を用いて説明する。図５は、実施形態に係る移動通信システムの動作シーケンス１を説明するシーケンス図である。図６から図８は、実施形態に係る移動通信システムの動作シーケンス１を説明する説明図である。図９は、動作シーケンス１におけるｅＮＢ２００−２の動作の一例を説明するためのフローチャートである。
【００６０】
実施形態において、移動通信システムは、ｅＮＢ２００−１及びｅＮＢ２００−２を有する。ｅＮＢ２００−１とｅＮＢ２００−２とは、互いに隣接ｅＮＢの関係にある（図６（Ａ）参照）。
【００６１】
ｅＮＢ２００−１及びｅＮＢ２００−２のそれぞれは、アクセス可能なＵＥ１００を規定するアクセスモードを設定可能なセルを管理する。ｅＮＢ２００−１及びｅＮＢ２００−２のそれぞれは、は、「クローズド（Ｃｌｏｓｅｄ）モード」、「ハイブリッド（Ｈｙｂｒｉｄ）モード」及び「オープン（Ｏｐｅｎ）モード」のアクセスモードを自セルに設定可能である。
【００６２】
クローズドモードが設定されたセルは、ＣＳＧセルに対応し、ハイブリッドモードが設定されたセルは、ハイブリッドセルに対応し、オープンモードが設定されたセルは、オープンセルに対応する。
【００６３】
また、ｅＮＢ２００−１は、自セルをオフしようとするオフ対象基地局に該当し、ｅＮＢ２００−２は、ｅＮＢ２００−１のセルを補完するためのセル拡張を行うべき（少なくともセル拡張を行う基地局の候補となる）拡張対象基地局に該当する。
【００６４】
ｅＮＢ２００−１は、以下の第１から第３の判断方法の何れかに従って、自セルをオフするか否かを判断できる。
【００６５】
第１の判断方法として、ｅＮＢ２００−１は、ｅＮＢ２００−１及び／又はｅＮＢ２００−２におけるトラフィック状況（接続ＵＥ数、送受信データ量、又は無線リソース使用率など）の時間変動に基づいて、自セルをオフするか否かを判断する。例えば、送受信データ量などの少ない時間帯においてｅＮＢ２００−１は自セルをオフすると判断する。
【００６６】
第２の判断方法として、ｅＮＢ２００−１は、ＯＡＭ（Ｏｐｅｒａｔｉｏｎ  ａｎｄ  Ｍａｉｎｔｅｎａｎｃｅ）からの指示（エナジーセービングＯＮ／ＯＦＦコマンド）に基づいて、自セルをオフするか否かを判断する。
【００６７】
第３の判断方法として、ｅＮＢ２００−１は、ｅＮＢ２００−１及び／又はｅＮＢ２００−２の電源供給状況に基づいて、エナジーセービングを行うか否かを判断する。例えば、ｅＮＢ２００−１は、ｅＮＢ２００−１への電源供給が遮断された場合(バッテリ駆動となった場合)、ｅＮＢ２００−１のバッテリ残量が規定値を下回った場合、又はｅＮＢ２００−１の自家発電電力(ソーラー等)の出力電力が規定値を下回った場合などにおいて、ｅＮＢ２００−１は自セルをオフすると判断する。なお、ｅＮＢ２００−１は、ｅＮＢ２００−２からの電源供給状況の通知によって、ｅＮＢ２００−２の電源供給状況を把握できる。
【００６８】
以下において、ｅＮＢ２００−１が、自セルをオフすると判定したと仮定して説明を進める。
【００６９】
図５に示すように、ステップＳ１０１において、ｅＮＢ２００−１は、ｅＮＢ２００−２にセル拡張を行うことを要求するためのＥＳ要求を送信する。ｅＮＢ２００−２は、ＥＳ要求を受信する。
【００７０】
ＥＳ要求は、アクセス権の有無によってＵＥ１００の取り扱い方が異なるセルの識別子であるＣＳＧ  ＩＤ（ＣＳＧ  Ｉｄｅｎｔｉｔｙ：  ＣＳＧ識別子）と、セルのアクセスモードがクローズドモードに設定されているかハイブリッドモードに設定されているかを示すＣＳＧ指標（ＣＳＧ  Ｉｎｄｉｃａｔｉｏｎ）とを含む。
【００７１】
ＣＳＧ指標が「ｔｒｕｅ」の場合、セルがクローズドモードに設定されていることを示す。ＣＳＧ指標が「ｆａｌｓｅ」の場合、セルがハイブリッドモード又はオープンモードに設定されていることを示す。
【００７２】
ｅＮＢ２００−１は、クローズドモードを設定可能な（又はクローズドモードが設定された）セルをｅＮＢ２００−２が管理していることを知っている場合に、ＣＳＧ  ＩＤ及びＣＳＧ指標を含むＥＳ要求をｅＮＢ２００−２に送信してもよいし、隣接セルを管理する隣接ｅＮＢであるｅＮＢ２００−２に、ＣＳＧ  ＩＤ及びＣＳＧ指標を含むＥＳ要求をｅＮＢ２００−２に暫定的に送信してもよい。
【００７３】
ステップＳ１０２において、ｅＮＢ２００−２は、受信したＥＳ要求に基づいて、ＥＳ要求を行ったｅＮＢ２００−１のセル（以下、セル１と称する）と自セル（以下、セル２と称する）とにおけるＣＳＧの関係を判定する。すなわち、ｅＮＢ２００−２は、セル１に接続するＵＥ１００−１が、セル２に接続可能か否かを判定する。ｅＮＢ２００−２は、判定結果に基づいて、ＥＳ要求（すなわち、自セルを拡張することを）を了承するか否かを決定する。
【００７４】
以下、判定の一例について、具体的に説明する。
【００７５】
（ａ）セル２のアクセスモードがクローズに設定されている場合
（ａ−１）セル１のＣＳＧ  ＩＤとセル２のＣＳＧ  ＩＤが等しい場合
図６（Ａ）に示すように、セル１のＣＳＧ指標１は、ｔｒｕｅであり、セル１のＣＳＧ  ＩＤ１は、Ａである。セル２のＣＳＧ指標２は、ｔｒｕｅであり、セル２のＣＳＧ  ＩＤ２は、Ａである。
【００７６】
この場合、ｅＮＢ２００−２は、セル１とセル２とでＣＳＧ  ＩＤが等しいため、図６（Ｂ）に示すように、ｅＮＢ２００−２がセル拡張を行った場合、セル１に接続するＵＥ１００−１は、セル２に接続可能であると判定する。
【００７７】
（ａ−２）セル１のＣＳＧ  ＩＤとセル２のＣＳＧ  ＩＤが異なる場合
図６（Ｃ）に示すように、セル１のＣＳＧ指標１は、ｔｒｕｅであり、セル１のＣＳＧ  ＩＤ１は、Ａである。セル２のＣＳＧ指標２は、ｔｒｕｅであり、セル２のＣＳＧ  ＩＤ２は、Ｂである。
【００７８】
この場合、ｅＮＢ２００−２は、セル１とセル２とでＣＳＧ  ＩＤが異なるため、ｅＮＢ２００−２がセル拡張を行った場合、セル１に接続するＵＥ１００−１は、セル２に接続不能であると判定する。
【００７９】
（ｂ）セル２のアクセスモードがオープンモードに設定されている場合
図７（Ａ）に示すように、セル１のＣＳＧ指標１は、ｔｒｕｅであり、セル１のＣＳＧ  ＩＤ１は、Ａである。セル２のＣＳＧ指標２は、ｆａｌｓｅであり、セル２のＣＳＧ  ＩＤ２は、ない。
【００８０】
この場合、ｅＮＢ２００−２は、自セルがオープンモードに設定されているため、図７（Ｂ）に示すように、ｅＮＢ２００−２がセル拡張を行った場合、セル１に接続するＵＥ１００−１は、セル２に接続可能であると判定する。
【００８１】
（ｃ）セル２のアクセスモードがハイブリッドモードに設定されている場合
図８（Ａ）に示すように、セル１のＣＳＧ指標１は、ｔｒｕｅであり、セル１のＣＳＧ  ＩＤ１は、Ａである。セル２のＣＳＧ指標２は、ｆａｌｓｅであり、セル２のＣＳＧ  ＩＤ２は、Ｃである。
【００８２】
この場合、ｅＮＢ２００−２は、自セルがハイブリッドモードに設定されているため、図８（Ｂ）に示すように、ｅＮＢ２００−２がセル拡張を行った場合、セル１に接続するＵＥ１００−１は、セル２に接続可能であると判定する。
【００８３】
次に、ステップＳ１０２におけるｅＮＢ２００−２の動作の一例を説明する。
【００８４】
ステップＳ１５１において、ｅＮＢ２００−２は、ｅＮＢ２００−１からＥＳ要求を受信する。
【００８５】
ステップＳ１５２において、ｅＮＢ２００−２は、ｅＮＢ２００−１（すなわち、セル１）のアクセスモードがクローズモードであるか否かを判定する。ｅＮＢ２００−２は、「ＹＥＳ」の場合（ｅＮＢ２００−１のアクセスモードがクローズモードである場合）、ステップＳ１５３の処理を実行し、「ＮＯ」の場合、ステップＳ１５５の処理を実行する。
【００８６】
ステップＳ１５３において、ｅＮＢ２００−２は、ｅＮＢ２００−２（すなわち、セル２）のアクセスモードがオープンモード又はハイブリッドモードであるか否かを判定する。ｅＮＢ２００−２は、「ＹＥＳ」の場合（ｅＮＢ２００−２のアクセスモードがオープンモード又はハイブリッドモードである場合）、ステップＳ１５８の処理を実行し、「ＮＯ」の場合、ステップＳ１５４の処理を実行する。
【００８７】
ステップＳ１５４において、ｅＮＢ２００−２は、ｅＮＢ２００−１（すなわち、セル１）のＣＳＧ  ＩＤと、ｅＮＢ２００−２（すなわち、セル２）のＣＳＧ  ＩＤとが等しいか否かを判定する。ｅＮＢ２００−３は、「ＹＥＳ」の場合（ｅＮＢ２００−１のＣＳＧ  ＩＤと、ｅＮＢ２００−２のＣＳＧ  ＩＤとが等しい場合）、ステップＳ１５８の処理を実行し、「ＮＯ」の場合、ステップＳ１５９の処理を実行する。
【００８８】
ステップＳ１５５において、ｅＮＢ２００−２は、ｅＮＢ２００−１（すなわち、セル１）のアクセスモードがハイブリッドモードであるか否かを判定する。ｅＮＢ２００−２は、「ＹＥＳ」の場合（ｅＮＢ２００−１のアクセスモードがハイブリッドモードである場合）、ステップＳ１５６の処理を実行し、「ＮＯ」の場合、ステップＳ１５７の処理を実行する。
【００８９】
ステップＳ１５６において、ｅＮＢ２００−２は、ｅＮＢ２００−２（すなわち、セル２）のアクセスモードがオープンモード又はハイブリッドモードであるか否かを判定する。ｅＮＢ２００−２は、「ＹＥＳ」の場合（ｅＮＢ２００−２のアクセスモードがオープンモード又はハイブリッドモードである場合）、ステップＳ１５８の処理を実行し、「ＮＯ」の場合、ステップＳ１５９の処理を実行する。
【００９０】
なお、ｅＮＢ２００−２は、ステップＳ１５６において「Ｎｏ」と判定した場合、ステップＳ１５４の処理を実行してもよい。
【００９１】
ステップＳ１５７において、ｅＮＢ２００−２は、ｅＮＢ２００−１（すなわち、セル１）のアクセスモードがオープンモードであるか否かを判定する。ｅＮＢ２００−２は、「ＹＥＳ」の場合（ｅＮＢ２００−１のアクセスモードがオープンモードである場合）、ステップＳ１５８の処理を実行し、「ＮＯ」の場合、ステップＳ１５９の処理を実行する。
【００９２】
ステップＳ１５８において、ｅＮＢ２００−２は、セル１に接続するＵＥ１００−１が、セル２に接続可能と判定し、この判定結果に基づいて、ＥＳ要求を了承する旨の応答を行うと決定する。
【００９３】
一方、ステップＳ１５９において、ｅＮＢ２００−２は、セル１に接続するＵＥ１００−１が、セル２に接続不能と判定し、この判定結果に基づいて、ＥＳ要求を拒否する旨の応答を行うと決定する。
【００９４】
図５の説明に戻る。ｅＮＢ２００−２は、ステップＳ１０２の判定結果に基づいて、ＥＳ要求への応答を行う。なお、ｅＮＢ２００−２は、ステップＳ１０２の判定結果だけでなく、他の要因を考慮して、最終的にＥＳ要求を了承するか否かを判定してもよい。
【００９５】
ｅＮＢ２００−２は、ＥＳ要求を了承する旨の応答を行うと決定した場合、ステップＳ１０３の処理を実行し、ＥＳ要求を拒否する旨の応答を行うと決定した場合、ステップＳ１０６の処理を実行する。
【００９６】
ステップＳ１０３において、ｅＮＢ２００−２は、ＥＳ要求を了承する旨の応答をｅＮＢ２００−１に送信する。ｅＮＢ２００−１は、ＥＳ要求を了承する旨の応答を受信する。
【００９７】
ステップＳ１０４において、ｅＮＢ２００−１は、ｅＮＢ２００−２からの応答に基づいて、セル１をオフするか否かを決定する。ｅＮＢ２００−１は、ｅＮＢ２００−２からの応答がＥＳ要求を了承する旨の応答であるため、セル１をオフすると決定する。ｅＮＢ２００−１は、エナジーセービングモードをＯＮに設定し、セル１をオフする。
【００９８】
ステップＳ１０５において、ｅＮＢ２００−２は、セル２を拡張することによって、セル１のカバレッジを補完する。
【００９９】
なお、ステップＳ１０４の処理とステップＳ１０５の処理とが行われるタイミングは、同時でもよいし、一方の処理が他方の処理よりも先に行われてもよい。
【０１００】
一方、ステップＳ１０６において、ｅＮＢ２００−２は、ＥＳ要求を拒否する旨の応答をｅＮＢ２００−１に送信する。ｅＮＢ２００−１は、ＥＳ要求を拒否する旨の応答を受信する。
【０１０１】
ｅＮＢ２００−１は、ｅＮＢ２００−２からの応答に基づいて、セル１をオフするか否かを決定する。ｅＮＢ２００−１は、ｅＮＢ２００−２からの応答がＥＳ要求を拒否する旨の応答であるため、セル１をオフしないと決定する。ｅＮＢ２００−１は、セル１をオフしないと決定した場合、隣接セルリストに基づいて、他のｅＮＢ２００に対して、ＥＳ要求を送信する。ｅＮＢ２００−１は、ｅＮＢ２００−１からのＥＳ要求を受信した他のｅＮＢ２００から、ＥＳ要求を了承する旨の応答を受信した場合に、セル１をオフする。当該他のｅＮＢ２００は、セルを拡張し、セル１のカバレッジを補完する。
【０１０２】
（２）動作シーケンス２
次に、動作シーケンス２について、図１０から図１５を用いて説明する。なお、上述した動作シーケンス１と異なる部分を中心に説明し、同様の部分は、説明を適宜省略する。
【０１０３】
図１０は、実施形態に係る移動通信システムの動作シーケンス２を説明するシーケンス図である。図１１から図１４は、実施形態に係る移動通信システムの動作シーケンス２を説明する説明図である。図１５は、動作シーケンス２におけるｅＮＢ２００−１の動作の一例を説明するためのフローチャートである。
【０１０４】
上述した動作シーケンス１では、ｅＮＢ２００−１は、１つのｅＮＢ２００にＥＳ要求を送信して、１つのＥＳ要求への応答に基づいて、セル１をオフするか否かを決定していた。一方、動作シーケンス２では、ｅＮＢ２００−１は、複数のｅＮＢ２００にＥＳ要求を送信して、複数のＥＳ要求への応答に基づいて、セル１をオフするか否かを決定する。
【０１０５】
図１０に示すように、ステップＳ２０１において、ｅＮＢ２００−１は、隣接ｅＮＢであるｅＮＢ２００−２及びｅＮＢ２００−３のそれぞれにＥＳ要求１を送信する。ｅＮＢ２００−２及びｅＮＢ２００−３のそれぞれは、ＥＳ要求１を受信する。ＥＳ要求１は、ステップＳ１０１のＥＳ要求に対応する。
【０１０６】
ステップＳ２０２において、ステップＳ１０２と同様に、ｅＮＢ２００−２は、受信したＥＳ要求に基づいて、ＥＳ要求を行ったｅＮＢ２００−１のセル（以下、セル１と称する）と自セル（以下、セル２と称する）とにおけるＣＳＧの関係を判定する。同様に、ｅＮＢ２００−３は、セル１と自セル（以下、セル３と称する）とにおけるＣＳＧの関係を判定する。
【０１０７】
ｅＮＢ２００−２及びｅＮＢ２００−３のそれぞれが、ＥＳ要求を了承する場合、ステップＳ２１０の処理が実行される。ｅＮＢ２００−２が、ＥＳ要求を了承し、ｅＮＢ２００−３が、ＥＳ要求を拒否する場合、ステップＳ２３０の処理が実行される。ｅＮＢ２００−２及びｅＮＢ２００−３のそれぞれが、ＥＳ要求を拒否する場合、ステップＳ２４０の処理が実行される。
【０１０８】
ステップＳ２１０において、ｅＮＢ２００−２及びｅＮＢ２００−３のそれぞれは、ＥＳ要求を了承する旨の応答（ＥＳ要求応答）をｅＮＢ２００−１に送信する。ｅＮＢ２００−２からのＥＳ要求応答は、セル２のＣＳＧ  ＩＤ２とセル２のＣＳＧ指標２とを含み、ｅＮＢ２００−３からのＥＳ要求応答は、セル３のＣＳＧ  ＩＤ３とセル２のＣＳＧ指標３とを含む。
【０１０９】
ｅＮＢ２００−１は、受信したＥＳ要求応答に基づいて、セル１をオフするか否かを決定する。さらに、ｅＮＢ２００−１は、複数のｅＮＢ２００からＥＳ要求を了承する旨の応答を受信した場合、複数のｅＮＢ２００の中からセル拡張を行わせるｅＮＢ２００（拡張対象ｅＮＢ）を決定する。
【０１１０】
以下、決定の一例について、具体的に説明する。
【０１１１】
（ａ）セル１のＣＳＧ  ＩＤとセル２のＣＳＧ  ＩＤが等しく、セル１のＣＳＧ  ＩＤとセル３のＣＳＧ  ＩＤが異なる場合
図１１（Ａ）に示すように、セル１のＣＳＧ指標１は、ｔｒｕｅであり、セル１のＣＳＧ  ＩＤ１は、Ａである。セル２のＣＳＧ指標２は、ｔｒｕｅであり、セル２のＣＳＧ  ＩＤ２は、Ａである。セル３のＣＳＧ指標３は、ｆａｌｓｅであり、セル３のＣＳＧ  ＩＤ３は、Ｃである。
【０１１２】
この場合、ｅＮＢ２００−１は、セル１とセル２とでＣＳＧ  ＩＤが等しいため、図１１（Ｂ）に示すように、ｅＮＢ２００−２を拡張対象ｅＮＢに決定する。
【０１１３】
（ｂ）セル２のアクセスモードがオープンモードに設定され、セル３のアクセスモードがオープンモードに設定されていない場合
図１２（Ａ）に示すように、セル１のＣＳＧ指標１は、ｔｒｕｅであり、セル１のＣＳＧ  ＩＤ１は、Ａである。セル２のＣＳＧ指標２は、ｆａｌｓｅであり、セル２のＣＳＧ  ＩＤ２は、ない。セル３のＣＳＧ指標３は、ｆａｌｓｅであり、セル３のＣＳＧ  ＩＤ３は、Ｃである。
【０１１４】
この場合、ｅＮＢ２００−１は、セル２のアクセスモードがオープンモードに設定されているため、図１２（Ｂ）に示すように、ｅＮＢ２００−２を拡張対象ｅＮＢに決定する。
【０１１５】
（ｃ）セル１、セル２及びセル３のそれぞれのＣＳＧ  ＩＤが等しい場合
図１３（Ａ）に示すように、セル１のＣＳＧ指標１は、ｔｒｕｅであり、セル１のＣＳＧ  ＩＤ１は、Ａである。セル２のＣＳＧ指標２は、ｔｒｕｅであり、セル２のＣＳＧ  ＩＤ２は、Ａである。セル３のＣＳＧ指標３は、ｔｒｕｅであり、セル３のＣＳＧ  ＩＤ３は、Ａである。
【０１１６】
この場合、ｅＮＢ２００−１は、セル１、セル２及びセル３のそれぞれのＣＳＧ  ＩＤが等しいため、図１３（Ｂ）に示すように、一方のｅＮＢ２００−２を拡張対象ｅＮＢに決定する。或いは、図１３（Ｃ）に示すように、ｅＮＢ２００−１は、ｅＮＢ２００−２及びｅＮＢ２００−３を拡張対象ｅＮＢに決定する。
【０１１７】
（ｄ）セル２及びセル３のそれぞれのアクセスモードがオープンモードに設定されている場合
図１４（Ａ）に示すように、セル１のＣＳＧ指標１は、ｔｒｕｅであり、セル１のＣＳＧ  ＩＤ１は、Ａである。セル２のＣＳＧ指標２は、ｆａｌｓｅであり、セル２のＣＳＧ  ＩＤ２は、ない。セル３のＣＳＧ指標３は、ｆａｌｓｅであり、セル３のＣＳＧ  ＩＤ３は、ない。
【０１１８】
この場合、ｅＮＢ２００−１は、セル２及びセル３のそれぞれのアクセスモードがオープンモードに設定されているため、図１４（Ｂ）に示すように、一方のｅＮＢ２００−２を拡張対象ｅＮＢに決定する。或いは、図１４（Ｃ）に示すように、ｅＮＢ２００−１は、ｅＮＢ２００−２及びｅＮＢ２００−３を拡張対象ｅＮＢに決定する。
【０１１９】
次に、ステップＳ２１０において、複数のｅＮＢ２００からＥＳ要求の応答を受信するｅＮＢ２００−１の動作の一例を説明する。
【０１２０】
ステップＳ２５０において、ｅＮＢ２００−１は、複数のｅＮＢ２００（隣接ｅＮＢ）からＥＳ要求の応答を受信する。
【０１２１】
ステップＳ２６０において、ｅＮＢ２００−１は、ｅＮＢ２００−１がＥＳ要求を送信した複数のｅＮＢ２００のうち、１つのｅＮＢ２００を選択して、以下の処理を行う。ｅＮＢ２００−１は、複数のｅＮＢ２００を全て選択するまで、以下の処理を繰り返す。
【０１２２】
ステップＳ２６１において、ｅＮＢ２００−１は、選択されたｅＮＢ２００からのＥＳ要求応答が、ＥＳ要求を了承する旨の応答であるか否かを判定する。ｅＮＢ２００−１は、「ＹＥＳ」の場合（選択されたｅＮＢ２００からのＥＳ要求応答が、ＥＳ要求を了承する旨の応答である場合）、ステップＳ２６２の処理を実行し、「ＮＯ」の場合、選択されたｅＮＢ２００に関する処理を終了する。
【０１２３】
ステップＳ２６２において、ｅＮＢ２００−１は、セル１のＣＳＧ  ＩＤと選択されたｅＮＢ２００のセルのＣＳＧ  ＩＤが等しいか否かを判定する。ｅＮＢ２００−１は、「ＹＥＳ」の場合（セル１のＣＳＧ  ＩＤと選択されたｅＮＢ２００のセルのＣＳＧ  ＩＤが等しい場合）、ステップＳ２６３の処理を実行し、「ＮＯ」の場合、ステップＳ２６４の処理を実行する。
【０１２４】
ステップＳ２６３において、ｅＮＢ２００−１は、選択されたｅＮＢ２００の優先度を「２」とし、選択されたｅＮＢ２００を拡張対象ｅＮＢの候補として登録する。そして、選択されたｅＮＢ２００に関する処理を終了する。
【０１２５】
ステップＳ２６４において、ｅＮＢ２００−１は、選択されたｅＮＢ２００（のセル）のアクセスモードがオープンモードであるか否かを判定する。ｅＮＢ２００−１は、「ＹＥＳ」の場合（選択されたｅＮＢ２００のアクセスモードがオープンモードである場合）、ステップＳ２６５の処理を実行し、「ＮＯ」の場合、ステップＳ２６６の処理を実行する。
【０１２６】
ステップＳ２６５において、ｅＮＢ２００−１は、選択されたｅＮＢ２００の優先度を「１」とし、選択されたｅＮＢ２００を拡張対象ｅＮＢの候補として登録する。そして、選択されたｅＮＢ２００に関する処理を終了する。
【０１２７】
ステップＳ２６６において、ｅＮＢ２００−１は、選択されたｅＮＢ２００の優先度を「０」とし、選択されたｅＮＢ２００を拡張対象ｅＮＢの候補として登録する。そして、選択されたｅＮＢ２００に関する処理を終了する。
【０１２８】
なお、実施形態において、優先度の数値が大きいほど優先されることを示す。従って、優先度が「２」が最も優先度が高い。
【０１２９】
ステップＳ２７０において、ｅＮＢ２００−１は、優先度が最も高い拡張対象ｅＮＢの候補の優先度が「１」であるか否かを判定する。ｅＮＢ２００−１は、「ＹＥＳ」の場合（優先度が最も高い拡張対象ｅＮＢの候補の優先度が「１」である場合）、ステップＳ２７１の処理を実行し、「ＮＯ」の場合、ステップＳ２７２の処理を実行する。
【０１３０】
ステップＳ２７１において、ｅＮＢ２００−１は、優先度が最も高い拡張対象ｅＮＢの候補を拡張対象ｅＮＢ（エリア拡大（セル拡張）するｅＮＢ２００）と決定する。
【０１３１】
ステップＳ２７２において、ｅＮＢ２００−１は、優先度が最も高い拡張対象ｅＮＢの候補が複数存在する場合、セル拡張に基づく消費電力が最小となる組み合わせの拡張対象ｅＮＢの候補を決定するために、複数の優先度が最も高い拡張対象ｅＮＢの候補のそれぞれを組み合わせて、組み合わせ毎にセル拡張に基づく消費電力（の予想値）を算出する。
【０１３２】
例えば、ｅＮＢ２００−１は、接続ＵＥに関係ない報知メッセージを送信するための固定的な送信電力情報を、複数の優先度が最も高い拡張対象ｅＮＢの候補のそれぞれから（或いは、上位のネットワーク装置から）取得する。ｅＮＢ２００−１は、送信電力情報に基づいて、組み合わせ毎にセル拡張に基づく消費電力を算出する。ｅＮＢ２００−１は、送信電力情報に加えて、優先度が最も高い拡張対象ｅＮＢの候補の位置関係も考慮して、組み合わせ毎にセル拡張に基づく消費電力を算出してもよい。
【０１３３】
ｅＮＢ２００−１は、消費電力を算出するために必要な情報（例えば、ｅＮＢ２００の最大送信電力など）を優先度が最も高い拡張対象ｅＮＢの候補に要求してもよいし、上位のネットワーク装置に問い合わせてもよい。また、ＥＳ要求応答に予め必要な情報が含まれていてもよい。
【０１３４】
ステップＳ２７３において、ｅＮＢ２００−１は、セル拡張に基づく消費電力が最小となる組み合わせに含まれる拡張対象ｅＮＢの候補のそれぞれを拡張対象ｅＮＢと決定する。
【０１３５】
なお、ｅＮＢ２００−１は、優先度が最も高い拡張対象ｅＮＢの候補がひとつである場合は、当該拡張対象ｅＮＢの候補を拡張対象ｅＮＢと決定する。
【０１３６】
図１０の説明に戻る。ｅＮＢ２００−１は、上述の決定に基づいて、ＥＳ要求２を送信する。ＥＳ要求２は、ＥＳ要求１に対してＥＳ要求を了承する旨の応答を送信したｅＮＢ２００に、セル拡張を行わせるか否かを通知するための情報である。従って、ｅＮＢ２００−１は、セル拡張を行わせるｅＮＢ２００に対して、セル拡張を行わせる旨の情報（Ｅｘｐａｎｓｉｏｎ依頼）を含むＥＳ要求２を送信し、セル拡張を行わないｅＮＢ２００に対して、セル拡張を行わない旨の情報（ｃａｎｃｅｌ）を含むＥＳ要求２を送信する。
【０１３７】
ｅＮＢ２００−１は、１つのｅＮＢ２００にセル拡張を行わせる（すなわち、１つのｅＮＢ２００によってエリア補完が行われる）場合、ステップＳ２１１からＳ２１３のいずれかの処理を実行し、２つ以上のｅＮＢ２００（実施形態において２つのｅＮＢ２００）にセル拡張を行わせる場合、ステップＳ２２１の処理を実行する。
【０１３８】
ステップＳ２１１において、ｅＮＢ２００−１は、セル１のＣＳＧ  ＩＤとセル２のＣＳＧ  ＩＤが等しく、セル１のＣＳＧ  ＩＤとセル３のＣＳＧ  ＩＤが異なると判定した場合、ｅＮＢ２００−２に「Ｅｘｐａｎｓｉｏｎ依頼」を示す情報を含むＥＳ要求２を送信し、ｅＮＢ２００−３に「ｃａｎｃｅｌ」を示す情報を含むＥＳ要求２を送信する。
【０１３９】
ステップＳ２１２において、ｅＮＢ２００−１は、セル２のアクセスモードがオープンモードに設定され、セル３のアクセスモードがハイブリッドモードに設定されている場合、ｅＮＢ２００−２に「Ｅｘｐａｎｓｉｏｎ依頼」を示す情報を含むＥＳ要求２を送信し、ｅＮＢ２００−３に「ｃａｎｃｅｌ」を示す情報を含むＥＳ要求２を送信する。
【０１４０】
ステップＳ２１３において、ｅＮＢ２００−１は、その他の条件に基づいて、ｅＮＢ２００−２にセル拡張を行わせて、ｅＮＢ２００−３にセル拡張を行わせないと決定した場合、ｅＮＢ２００−２に「Ｅｘｐａｎｓｉｏｎ依頼」を示す情報を含むＥＳ要求２を送信し、ｅＮＢ２００−３に「ｃａｎｃｅｌ」を示す情報を含むＥＳ要求２を送信する。
【０１４１】
ステップＳ２１４及びＳ２１５は、動作パターン１のステップＳ１０４及びＳ１０５に対応する。
【０１４２】
ステップＳ２２１において、ｅＮＢ２００−１は、ｅＮＢ２００−２及びｅＮＢ２００−３のそれぞれに、「Ｅｘｐａｎｓｉｏｎ依頼」を示す情報を含むＥＳ要求２を送信する。
【０１４３】
なお、このＥＳ要求２は、セルの拡大範囲を示す情報（例えば、送信電力を指定する情報）を含んでもよい。
【０１４４】
ステップＳ２２２及びＳ２２３は、動作パターン１のステップＳ１０４及びＳ１０５に対応する。
【０１４５】
次に、ステップＳ２３０において、ｅＮＢ２００−２は、ＥＳ要求を了承する旨の応答をｅＮＢ２００−１に送信する。ｅＮＢ２００−３は、ＥＳ要求を拒否する旨の応答をｅＮＢ２００−１に送信する。
【０１４６】
ｅＮＢ２００−１は、受信したＥＳ要求応答に基づいて、セル１をオフするか否かを決定する。具体的には、ｅＮＢ２００−１は、ＥＳ要求を了承する旨の応答をｅＮＢ２００−２から受信しているので、セル１をオフすると決定する。
【０１４７】
ｅＮＢ２００−１は、ｅＮＢ２００−２に「Ｅｘｐａｎｓｉｏｎ依頼」を示す情報を含むＥＳ要求２を送信する。なお、ｅＮＢ２００−１は、ｅＮＢ２００−３に対してＥＳ要求応答１に対する応答は行わない。
【０１４８】
ステップＳ２３２及びＳ２３３は、動作パターン１のステップＳ１０４及びＳ１０５に対応する。
【０１４９】
次に、ステップＳ２４０において、ｅＮＢ２００−２及びｅＮＢ２００−３のそれぞれは、ＥＳ要求を拒否する旨の応答をｅＮＢ２００−１に送信する。ｅＮＢ２００−１は、受信したＥＳ要求応答に基づいて、セル１をオフしないと決定し、実施形態に係る処理を終了する。
【０１５０】
（３）動作シーケンス３
次に、動作シーケンス３について、図１６から図１８を用いて説明する。なお、上述した動作シーケンス１及び２と異なる部分を中心に説明し、同様の部分は、説明を適宜省略する。
【０１５１】
図１６は、実施形態に係る移動通信システムの動作シーケンス３を説明するシーケンス図である。図１７及び図１８は、実施形態に係る移動通信システムの動作シーケンス３を説明する説明図である。
【０１５２】
上述した動作シーケンス１では、ｅＮＢ２００−２が、セル１に接続するＵＥ１００−１が、セル２に接続可能か否かを判定していた。一方、動作シーケンス３では、ネットワーク（ネットワーク装置）が、セル１に接続するＵＥ１００−１が、セル２に接続可能か否かを判定する。
【０１５３】
図１６において、ステップＳ３０１は、ステップＳ１０１に対応する。
【０１５４】
ステップＳ３０２においてｅＮＢ２００−２は、ｅＮＢ２００−１から受信したＥＳ要求に含まれていたＣＳＧ  ＩＤ１と、セル２のＣＳＧ  ＩＤ２とが異なる場合、セル１に接続するＵＥ１００−１が、セル２に接続可能か否かの判定を要求するための判定要求をネットワーク（例えば、ＭＭＥなどのネットワーク装置）に送信する。ネットワーク装置は、判定要求を受信する。判定要求は、ｅＮＢ２００−１から受信したＥＳ要求に含まれていたＣＳＧ  ＩＤ１及びＣＳＧ指標１と、セル２のＣＳＧ  ＩＤ２及びセル２のＣＳＧ指標２とを含む。
【０１５５】
ステップＳ３０３において、ネットワークは、判定要求に応じて、ＣＳＧの関係を判定する。ステップＳ３０３は、ステップＳ１０２と同様の判定を行うが、以下の点が異なる。
【０１５６】
ネットワークは、セル１とセル２とのＣＳＧ指標が等しく、セル１とセル２とのＣＳＧＩＤが異なる場合、ＵＥ１００のホワイトリストの設定状況に基づいて、ＣＳＧ  ＩＤの関係を判定する。ネットワークは、ＣＳＧ  ＩＤの関係に基づいて、セル２の拡張によって、エリア補完可能かどうか（すなわち、セル１に接続するＵＥ１００−１が、セル２に接続可能か否か）を判定する。
【０１５７】
具体的には、ネットワークは、少なくともｅＮＢ２００−１のセル１に接続しているＵＥ１００のホワイトリストにおいて、ＣＳＧ  ＩＤ１が設定されている場合に、ＣＳＧ  ＩＤ２が（必ず）設定されている場合、エリア補完可能と判断する。
【０１５８】
或いは、ネットワークは、少なくともｅＮＢ２００−１のセル１に接続しているＵＥ１００−１の集合Ａが、ｅＮＢ２００−２のセル２へのアクセス権を有するＵＥ１００の集合Ｂの部分集合である（すなわち、Ａ⊆Ｂ）と判定した場合、エリア補完可能と判断する。
【０１５９】
以下、判定のケースについて、具体的に説明する。
【０１６０】
（ａ）ＣＳＧ指標が「ｔｒｕｅ」を示す場合
図１７（Ａ）に示すように、セル１のＣＳＧ指標１は、ｔｒｕｅであり、セル１のＣＳＧ  ＩＤ１は、Ａである。セル２のＣＳＧ指標２は、ｔｒｕｅであり、セル２のＣＳＧ  ＩＤ２は、Ｄである。
【０１６１】
このケースにおいて、ネットワークは、エリア補完可能と判定した場合、図１７（Ｂ）に示すように、ｅＮＢ２００−２がセル拡張を行った場合、セル１に接続するＵＥ１００−１は、セル２に接続可能であると判定する。
【０１６２】
（ａ）ＣＳＧ指標が「ｆａｌｓｅ」を示す場合
図１８（Ａ）に示すように、セル１のＣＳＧ指標１は、ｆａｌｓｅであり、セル１のＣＳＧ  ＩＤ１は、Ａである。セル２のＣＳＧ指標２は、ｆａｌｓｅであり、セル２のＣＳＧ  ＩＤ２は、Ｄである。
【０１６３】
このケースにおいて、ネットワークは、エリア補完可能と判定した場合、図１８（Ｂ）に示すように、ｅＮＢ２００−２がセル拡張を行った場合、セル１に接続するＵＥ１００−１は、セル２に接続可能であると判定する。
【０１６４】
図１６の説明に戻る。ネットワークは、判定結果がエリア補完可能である場合（セル１に接続するＵＥ１００−１は、セル２に接続可能である場合）、ステップＳ３０４の処理が行われる。一方、ネットワークは、判定結果がエリア補完不能である場合（セル１に接続するＵＥ１００−１は、セル２に接続不能である場合）、ステップＳ３０８の処理が行われる。
【０１６５】
ステップＳ３０４において、ネットワークは、判定要求に対する応答として、エリア補完可能であることを示す判定結果を含む判定要求応答を送信する。ｅＮＢ２００−２は、判定要求応答を受信する。
【０１６６】
ステップＳ３０５からＳ３０７は、ステップＳ１０３からＳ１０５に対応する。
【０１６７】
一方、ステップＳ３０８において、ネットワークは、判定要求に対する応答として、エリア補完不能であることを示す判定結果を含む判定要求応答を送信する。ｅＮＢ２００−２は、判定要求応答を受信する。
【０１６８】
ステップＳ３０９は、ステップＳ１０６に対応する。
【０１６９】
（実施形態のまとめ）
実施形態において、ｅＮＢ２００−１がｅＮＢ２００−２に対してＥＳ要求する。ｅＮＢ２００−１のセル１に接続するＵＥ１００−１がｅＮＢ２００−２のセル２に接続可能か否かの判定結果に基づくＥＳ要求応答を、ｅＮＢ２００−１に送信する。また、ｅＮＢ２００−１は、応答に基づいて、セル１をオフするか否かを決定する。これにより、ｅＮＢ２００−１は、セル１に接続するＵＥ１００−１がセル２に接続可能である場合に、セル１をオフにでき、セル１に接続するＵＥ１００−１がセル２に接続不能である場合に、セル１をオフにすることを中止できるため、セル１をオフにすることによるＵＥ１００−１が通信不能になることを回避することができる。従って、通信品質の低下を抑制しつつエナジーセービングを実現できる。
【０１７０】
実施形態において、ｅＮＢ２００−２は、セル２に対して、クローズドモードを設定していない場合、セル拡張を了承する旨を示すＥＳ応答を送信する。これにより、クローズドモードに設定されているセル２は、セル１に接続するＵＥ１００−１が接続可能であるため、セル１をオフにすることによるＵＥ１００−１が通信不能になることを回避することができる。
【０１７１】
実施形態において、セル１は、クローズドモードを設定可能なセルである。ｅＮＢ２００−１は、セル１のＣＳＧ  ＩＤ１を含むＥＳ要求を送信する。ｅＮＢ２００−２は、セル２に対して、クローズドモードを設定している場合で、且つ、セル１のＣＳＧ  ＩＤ１と、セル２のＣＳＧ  ＩＤ２とが等しい場合、セル拡張を了承する旨を示す応答を送信する。これにより、セル１のＣＳＧ  ＩＤ１とセル２のＣＳＧ  ＩＤ２とが等しい場合、セル１のＣＳＧ  ＩＤ１を有するＵＥ１００−１は、セル２に接続可能であるため、セル１をオフにすることによるＵＥ１００−１が通信不能になることを回避することができる。
【０１７２】
実施形態において、ｅＮＢ２００−１は、複数のｅＮＢ２００のそれぞれに、ＥＳ要求を送信する。ｅＮＢ２００−１は、複数のｅＮＢ２００のそれぞれから、セル拡張を了承する旨を示すＥＳ要求応答を受信した場合、２以上のｅＮＢ２００のうち、セル拡張に基づく消費電力が最小となる組み合わせのｅＮＢ２００のそれぞれにセル拡張を行わせることを決定する。これにより、セル拡張に基づく消費電力を最小に抑えることができる。
【０１７３】
実施形態において、ｅＮＢ２００−１は、セル１のＣＳＧ  ＩＤ１を含むＥＳ要求を送信する。ｅＮＢ２００−２が、ＣＳＧ  ＩＤ１と  ＣＳＧ  ＩＤ２とが異なる場合、ＣＳＧ  ＩＤ１と  ＣＳＧ  ＩＤ２とを含む判定要求をネットワークに送信する。ネットワークが、ＣＳＧ  ＩＤ１と  ＣＳＧ  ＩＤ２とに基づいて、セル１に接続するＵＥ１００−１は、セル２に接続可能であるか否かを判定する。ｅＮＢ２００−２は、判定結果に基づいて、ＥＳ要求応答を、ｅＮＢ２００−１に送信する。これにより、ＣＳＧ  ＩＤ１と  ＣＳＧ  ＩＤ２とが異なっている場合であっても、セル１に接続するＵＥ１００−１が接続可能であることが判定可能であるため、セル１をオフにすることによるＵＥ１００−１が通信不能になることを回避することができる。
【０１７４】
実施形態において、ネットワークは、ＵＥ１００がアクセス権を有するセルのＣＳＧ  ＩＤが設定されたリストにおいて、ＣＳＧ  ＩＤ２が設定されている場合、ＣＳＧ  ＩＤ１が設定されている場合、セル１に接続するＵＥ１００−１が接続可能であるであると判定する。また、ネットワークは、セル１へのアクセス権を有するＵＥ１００の集合Ａが、セル２へのアクセス権を有するＵＥ１００の集合Ｂの部分集合であると判定した場合、セル１に接続するＵＥ１００−１が接続可能であるであると判定する。これらにより、ネットワークは、ＣＳＧ  ＩＤ１と  ＣＳＧ  ＩＤ２とが異なっている場合であっても、セル１に接続するＵＥ１００−１が接続可能であることが判定可能である。
【０１７５】
［その他実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１７６】
例えば、上述した実施形態において、動作パターン３では、ｅＮＢ２００−２は、ｅＮＢ２００−１から受信したＥＳ要求に含まれていたＣＳＧ  ＩＤ１と、セル２のＣＳＧ  ＩＤ２とが異なる場合、判定要求をネットワークに送信していたが、これに限られない。ｅＮＢ２００−２は、ＥＳ要求を受信した場合に、判定要求をネットワークに送信してもよい。或いは、ｅＮＢ２００−２は、セル２がオープンモードに設定されていない場合に、判定要求をネットワークに送信してもよい。
【０１７７】
また、上述した実施形態において、動作シーケンス１から３は、適宜組み合わされて実施されてもよい。
【０１７８】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１７９】
なお、日本国特許出願第２０１３−２４４２５８号（２０１３年１１月２６日出願）の全内容が、参照により、本願明細書に組み込まれている。
【産業上の利用可能性】
【０１８０】
実施形態に係る通信制御方法及び基地局によれば、近接セルがアクセス権を有するユーザ端末のみがアクセス可能なクローズドモードを設定可能なセルである場合において、通信品質の低下を抑制しつつエナジーセービングを実現可能にする。
【図１】
0006470693.tif 000002
【図２】
0006470693.tif 000003
【図３】
0006470693.tif 000004
【図４】
0006470693.tif 000005
【図５】
0006470693.tif 000006
【図６】
0006470693.tif 000007
【図７】
0006470693.tif 000008
【図８】
0006470693.tif 000009
【図９】
0006470693.tif 000010
【図１０】
0006470693.tif 000011
【図１１】
0006470693.tif 000012
【図１２】
0006470693.tif 000013
【図１３】
0006470693.tif 000014
【図１４】
0006470693.tif 000015
【図１５】
0006470693.tif 000016
【図１６】
0006470693.tif 000017
【図１７】
0006470693.tif 000018
【図１８】
0006470693.tif 000019